(57)【要約】      （修正有）【課題】条件に合ったデジタル写真を注文者が指定できる双方向の写真取引システムを提供する。【解決手段】入力された検索条件によって、条件を満たす写真提供者を選出する機能を有するデジタルアルバム装置において、各写真に対して検索条件との一致率を算出する処理手段を備え、検索条件との一致を算出する工程と、検索結果により該当する写真提供者に連絡する手段を有し、前記算出した一致率に応じて、写真の提供者に連絡する制御手段とを有することを特徴としており、写真検索方法は、入力された任意の写真の条件と記憶されている写真提供者の一致度を算出することにより、任意の写真の条件が当てはまらなくても、その条件に近い複数の写真提供者を検出するようにして、写真を検索する精度を向上させるデジタルアルバム 装置及びその写真検索方法。【選択図】図２
2006338678.tif 000002
【特許請求の範囲】
【請求項１】
入力された検索条件によって、条件を満たす写真提供者を選出する機能を有するデジタルアルバム装置において、各写真に対して検索条件との一致率を算出する処理手段と、前記算出した一致率に応じて、写真の提供者に連絡する制御手段とを有することを特徴とするデジタルアルバム装置
【請求項２】
条件を満たす写真を検索するデジタルアルバム装置の写真検索において、検索条件との一致を算出する工程と、検索結果により該当する写真提供者に連絡する手段を有することを特徴とするデジタルアルバム装置の写真検索方法
【請求項３】
請求項１に係わるデジタルアルバム装置において、写真の提供者が写真の注文者の条件により、販売したい写真を指定する手段と、前記指定した写真を提供者の条件とともに注文者に連絡する手段を有し、注文者は提供者の示す条件と写真をみて購入する写真を指定させることを特徴とする写真取引システム
【発明の詳細な説明】
【技術分野】
【０００１】
本発明は、デジタルデータにした写真の検索方法と該検索方法を利用した双方向の写真取引システムに関する。
【背景技術】
【０００２】
デジタル写真の検索において、特開２０００−０８２０６９号公報にあるように、入力された任意の写真の条件と記憶されている各写真との一致度を算出することにより、記憶されている写真に任意の写真が当てはまらなくても、その条件に近い写真を検出するようにしたデジタルアルバム装置及びその写真検索方法があった。
【０００３】
画像データ売買仲介方法において、特開２００３−３０４７６号公報にあるように、売り手側が画像データ売買仲介サーバに対してアップロードした投稿希望の写真を、買い手側が容易に検索閲覧して必要な投稿写真を購入する方法があった。
【特許文献１】特開２０００−０８２０６９号公報
【特許文献２】特開２００３−３０４７６号公報
【発明の開示】
【発明が解決しようとする課題】
【０００４】
しかしながら、従来のデジタル写真の検索方法では、入力された検索条件によって、条件を満たす写真を選出する機能を有するデジタルアルバム装置において、各写真に対して検索条件との一致率を算出する処理手段と、前記算出した一致率に応じて、写真の表示形態を変化させる制御手段とを有することを特徴としていたが、デジタル写真の注文者とデジタル写真の提供者間における提供条件の交換手段はなく、注文者が希望の写真を探す効率が非常に悪いという問題があった。また、従来の画像データ売買仲介方法では、画像データの売り手が購入希望者の条件により売る条件や売る画像を指定できないという問題があった。
【０００５】
本発明は、上述の点に鑑みてなされたもので、入力された検索条件によって、条件を満たす写真を選出する機能を有するデジタルアルバム装置において、各写真に対して検索条件との一致率を算出する手段以外に、入力された任意の写真の条件と記憶されている写真提供者の一致度を算出することにより、任意の写真の条件が当てはまらなくても、その条件に近い複数の写真提供者を検出するようにして、写真を検索する精度を向上させるデジタルアルバム装置及びその写真検索方法であり、検索結果に該当した提供者に自動的に連絡を行い、提供者が注文者の条件を満たす複数の写真を指定して注文者に連絡して、双方の条件の一致を交渉する手段を備えており、条件に合ったデジタル写真を注文者が指定できる双方向の写真取引システムを提供することを目的とする。
【課題を解決するための手段】
【０００６】
上記目的を達成するために、本発明の請求項１に係わるデジタルアルバム装置は、入力された検索条件によって、条件を満たす写真提供者を選出する機能を有するデジタルアルバム装置において、各写真に対して検索条件との一致率を算出する処理手段と、前記算出した一致率に応じて、写真の提供者に連絡する制御手段とを有することを特徴とする。
【０００７】
請求項２に係わる写真検索方法は、条件を満たす写真を検索するデジタルアルバム装置の写真検索において、検索条件との一致を算出する工程と、検索結果により該当する写真提供者に連絡する手段を有することを特徴とする。
【０００８】
請求項３に係わる双方向の写真取引システムは、請求項１に係わるデジタルアルバム装置において、写真の提供者が写真の注文者の条件により、販売したい写真を指定する手段と、前記指定した写真を提供者の条件とともに注文者に連絡する手段を有し、注文者は提供者の示す条件と写真をみて購入する写真を指定させることを特徴とする。
【発明の効果】
【０００９】
本発明のデジタルアルバム装置によれば、写真検索において、入力された任意の写真の検索条件と記憶されている各写真提供者との一致度を算出することにより、その検索条件に任意の写真提供者が当てはまらなくても、その検索条件に近い写真提供者を検出することが可能となり、写真提供者検索の効率が向上する。
【００１０】
また、本発明の写真取引システムによれば、算出した条件による検索結果に応じて、提供可能性の高い写真提供者に連絡を送り、提供者と注文者が写真の提供条件を一致させることにより、成約率が向上する。
【発明を実施するための最良の形態】
【００１１】
以下、本発明の実施の形態を、図面を参照して詳細に説明する。
【実施例１】
【００１２】
（請求項１の実施の形態）図１は、本発明に係るデジタルアルバム装置の第１の実施の形態を示すシステムブロック図である。
【００１３】
図１において、１００はデジタルアルバム装置であり、１０１は写真注文者用の操作部と表示部であり、キーボード、ワイヤレスリモコン等から構成され、写真の検索条件や購入条件の入力や検索結果の表示をする。インターネットに接続したパソコンであっても良い。１０２は記録部であり、ハードディスク装置等で構成され、画像情報（写真）等を保存する。保存する情報は、写真データベース、写真情報データベース、注文者登録データベース、写真提供者データベースとして構成して、後述する写真検索処理を効率的に実現するように構成する。１０３は記憶部であり、画像情報の記憶や、後述する本願発明を実現するための処理手順が記憶されている。処理手順は、写真注文者データ処理、写真提供者データ処理、購入条件検索処理、提供者と注文者の通信処理、写真購入処理などに分割して構成することにより、後述する写真検索処理を効率的に実現するように構成する。１０４は、制御部であり、前述の記憶部１０３に記録された処理手順に従って、記録部に記録したデータベースを使って認証と検索と通信と購入処理を制御する。１０５は写真提供者用の操作部と表示部であり、キーボード、ワイヤレスリモコン等から構成され、写真の提供条件や写真の入力や注文者の条件の表示をする。インターネットに接続したパソコンであっても良い。１０１と１０５は、任意の複数個であってもよい。
【実施例２】
【００１４】
（請求項２の実施の形態）図２は、本発明の第２の実施の形態における写真検索処理のフローチャートである。写真検索処理の動作を図２に示すフローチャートに従って説明する。
【００１５】
デジタルアルバム装置１００は、操作部１０１により写真検索が指示されると、写真検索処理を開始する。先ず、ステップＳ２０１において、写真注文者の認証処理を行い、注文者の操作を求めるために写真購入画面を表示する。
【００１６】
次に、ステップＳ２０２において、検索すべき写真の検索条件の入力処理を行う。ステップＳ２０３において、注文者に検索条件の入力確認をもとめ、注文者の送信指示があれば、検索条件を受け付ける。
図３に、注文者の検索条件入力画面の一例を示す。
【００１７】
次に、ステップＳ２０４において、受け取った注文者の検索条件などを一時保管する。
【００１８】
ステップＳ２０４の処理の結果により、写真提供者のあらかじめ登録した条件と一致する写真がない場合、ステップＳ２０５において、注文者から受け付けた検索条件とサーバ上にあらかじめ登録された写真提供者の登録情報の照合処理は、図１の１０３に記憶されたソフトウェアと写真提供者の登録情報を対象に図１の１０４を制御して行う。サーバ上のデータベースに記憶された写真提供者の登録情報のデータ配列の例を、図８、図９、図１０に示す。
【００１９】
Ｓ２０６において、照合処理の結果から、一致率の算出を行い、写真提供者を一致率の高い順に選び、注文者の購入条件に該当する写真を保有している蓋然性の高い写真提供者として検出する。検出結果は一時的に図１の記憶部１０３に格納するこの写真提供者は複数を検出しても良い。一致率は、例えば項目ごとの一致に対して重み付けの数値を設定しておき、一致した項目の数値の合計により算定してもよい。また、システムの設置者が定義できるようにしてもよい。
【００２０】
ステップＳ２０７において、検出した写真提供者に、注文者の注文条件を送出する。図４に第２の実施の形態における検索結果による、写真提供者への連絡画面の一例を示す。
【００２１】
また、ステップＳ２０４の処理の結果により、写真提供者のあらかじめ登録した条件と一致する写真がある場合、ステップＳ２０８において、一致した写真の見本を抽出する
【００２２】
ステップＳ２０９において、一致した写真の検出処理を行う。一致した写真は複数の写真提供者の複数の写真であっても良い。
【００２３】
ステップＳ２１０において、注文者画面に抽出した写真を含めて、注文者に送る。注文者はこれを使って購入処理を行う。
【実施例３】
【００２４】
（請求項３の実施の形態）図５は、本発明の第３の実施の形態を示す双方向の写真取引システムのブロック図である。
【００２５】
図５において、１０１は写真注文者用の操作部と表示部であり、キーボード、ワイヤレスリモコン等から構成され、写真の検索条件や購入条件の入力や検索結果の表示をする。インターネットに接続したパソコンであっても良い。１００はデジタルアルバム装置であり、１０２は記録部であり、ハードディスク装置等で構成され、画像情報（写真）等を保存する。１０３は記憶部であり、画像情報の記憶や、後述する本願発明を実現するための処理手順が記憶されている。１０４は、制御部であり、前述の記憶部１０３に記録された処理手順に従って、各部を制御する。デジタルアルバム装置１００は、写真提供者用の１０５に注文条件を送出する。複数の１０５に送出されても良い。１０５は写真提供者用の操作部と表示部であり、キーボード、ワイヤレスリモコン等から構成され、写真の提供条件や写真の入力や注文者の条件の表示をする。インターネットに接続したパソコンであっても良い。１０１と１０５は任意の複数の装置であっても良い。
【００２６】
図６は、本発明の第３の実施の形態における写真提供条件の交換と購入方法のフローチャートである。写真提供方法システムの動作を図６に示すフローチャートに従って説明する。
【００２７】
写真提供者は、まず、ステップＳ６０１において、注文者の条件を確認する。
【００２８】
ステップＳ６０２において注文者の条件を勘案して提供条件を入力する。
【００２９】
ステップＳ６０３において、あらかじめサーバ上の記録部に登録している写真を参照して、提供する写真を指定する。
サーバ上のデータベースに記憶されたデータ配列の例を、図８、図９、図１０に示す。
【００３０】
ステップＳ６０４において、サーバ上に登録していない写真を入力することもできる
【００３１】
ステップＳ６０５において、提供者は入力した内容と提供条件を確認して、送信指示を行う。
図７は、写真提供条件と提供する写真の入力画面の一例である。
【００３２】
ステップＳ６０６において、サーバ上のソフトウェアは、複数の提供者の提供条件と写真の見本を、注文ごとに集計する。集計した結果を注文者に送出する。
【００３３】
ステップＳ６０７において、注文者は希望の条件と写真の見本を参照して、希望の写真を選定する
【００３４】
次に、ステップＳ６０８において、注文者は、支払い方法、金額を指定して購入を指示する
【００３５】
ステップＳ６０９において、サーバ上のソフトウェアは、クレジット支払い可能情報や銀行振り込み確認情報をもとに、注文者に、写真のダウンロード許可を送出する。
【００３６】
ステップＳ６１０において、注文者は、写真のデジタルデータをダウンロードして、購入を完了
【図面の簡単な説明】
【００３７】
【図１】本発明に係るデジタルアルバム装置の第１の実施の形態を示すシステムブロック図である。
【図２】本発明の第の実施の形態を示す写真検索処理のフローチャートである。
【図３】第２の実施の形態における検索条件入力画面の一例を示す。
【図４】第２の実施の形態における検索結果による、写真提供者への連絡画面の一例を示す。
【図５】本発明に係わる第３の実施の形態における双方向の写真取引システムのブロック図である。
【図６】本発明に係る第３の実施の形態における写真提供条件の交換と購入方法のフローチャートである。
【図７】第３の実施の形態における写真提供条件と提供する写真の入力画面の一例を示す。
【図８】写真提供者の提供条件、写真情報、デジタル写真などのデータベースのデータ配列の一例を示す。
【図９】写真提供者の提供条件、写真情報、デジタル写真などのデータベースのデータ配列の一例を示す。
【図１０】写真提供者の提供条件、写真情報、デジタル写真などのデータベースのデータ配列の一例を示す。
【図１】
2006338678.tif 000003
【図２】
2006338678.tif 000004
【図３】
2006338678.tif 000005
【図４】
2006338678.tif 000006
【図５】
2006338678.tif 000007
【図６】
2006338678.tif 000008
【図７】
2006338678.tif 000009
【図８】
2006338678.tif 000010
【図９】
2006338678.tif 000011
【図１０】
2006338678.tif 000012